(57)【要約】【課題】安定しており容易に製造できるケーブルコネクタを提供すること。【解決手段】ケーブルコネクタ１、特にＩＤＣ（圧接コネクタ）コネクタが、絶縁体２および当接ブリッジ３を有する。絶縁体２は、ハウジング２０と、ハウジング２０と一体製造されたロック要素２１とを備える。ロック要素２１は、レバー２１０および支持軸２１１を備える。レバー２１０は、ハウジング２０に２重に接続される。ロック要素２１の支持軸２１１が、当接ブリッジ３の軸受け凹部３４に挿入されるように設計される。【選択図】図１
2020202179.tif 000002
【特許請求の範囲】
【請求項１】
絶縁体（２）および当接ブリッジ（３）を備えるケーブルコネクタ（１）であって、
前記絶縁体（２）が、接続プラグコネクタ（６）と相互ロックする少なくとも１つのロック要素（２１）を有し、
前記当接ブリッジ（３）が、前記ロック要素（２１）の支持軸（２１１）を装着するための少なくとも１つの軸受け（３４）を有する、
ことを特徴とするケーブルコネクタ（１）。
【請求項２】
請求項１に記載のケーブルコネクタ（１）であって、
前記絶縁体（２）がハウジング（２０）を有し、前記ハウジング（２０）および前記少なくとも１つのロック要素（２１）が単体で形成されていることを特徴とするケーブルコネクタ（１）。
【請求項３】
請求項２に記載のケーブルコネクタ（１）であって、
前記少なくとも１つのロック要素（２１）が、少なくとも２つの接続要素（２２、２３）を介して前記ハウジング（２０）に接続されていることを特徴とするケーブルコネクタ（１）。
【請求項４】
請求項１に記載のケーブルコネクタ（１）であって、
前記ロック要素（２１）が、ロッカ（２１００）およびばね棒（２３）を備えるレバー（２１０）を有することを特徴とするケーブルコネクタ（１）。
【請求項５】
請求項１に記載のケーブルコネクタ（１）であって、
前記当接ブリッジ（３）の前記軸受け（３４）が、前記当接ブリッジ（３）の基体（３０）に形成された凹部であり、前記凹部が、前記ロック要素（２１）の前記支持軸（２１１）に対して相補形になるように形成されることを特徴とするケーブルコネクタ（１）。
【請求項６】
請求項１に記載のケーブルコネクタ（１）であって、
前記ロック要素（２１）の前記支持軸（２１１）は、前記当接ブリッジ（３）に対する前記絶縁体（２）の第１の相対位置で、前記当接ブリッジ（３）の前記軸受け（３４）に係合せず、
前記ロック要素（２１）の前記支持軸（２１１）は、前記当接ブリッジ（３）に対する前記絶縁体（２）の第２の位置で、前記当接ブリッジ（３）の前記軸受け（３４）に係合する、
ことを特徴とするケーブルコネクタ（１）。
【請求項７】
請求項６に記載のケーブルコネクタ（１）であって、
前記ケーブルコネクタ（１）が、前記当接ブリッジ（３）が前記絶縁体（２）から分離されないように、前記当接ブリッジ（３）を前記当接ブリッジ（３）に対する前記絶縁体（２）の前記第２の位置でロックするロックデバイスを有することを特徴とするケーブルコネクタ（１）。
【請求項８】
請求項６または７に記載のケーブルコネクタ（１）であって、
前記ロック要素（２１）は、ロックラグ（２１０１）を有し、前記ロックラグ（２１０１）が、前記当接ブリッジ（３）に対する前記絶縁体（２）の前記第１の相対位置で、前記当接ブリッジ（３）の第１の止め具（３３）を支持し、前記当接ブリッジ（３）に対する前記絶縁体（２）の前記第２の相対位置で、前記当接ブリッジ（３）に形成されたアンダーカット（３５）に係合することを特徴とするケーブルコネクタ（１）。
【請求項９】
請求項１に記載のケーブルコネクタ（１）であって、
前記絶縁体（２）が、単体の液晶ポリマー（ＬＣＰ）材料から形成されることを特徴とするケーブルコネクタ（１）。
【発明の詳細な説明】
【技術分野】
【０００１】
本発明は、絶縁体および当接ブリッジを備えるケーブルコネクタ、特にＩＤＣ（圧接コネクタ）コネクタに関し、絶縁体は、プラグコネクタと相互ロックする少なくとも１つのロック要素を有する。
【背景技術】
【０００２】
ケーブルコネクタは、様々な実施形態で知られている。ケーブルコネクタは通常、プラグコネクタ（たとえば、ＰＣＢソケット）に接続するためのコンタクトを保持する絶縁体を有する。ケーブル側では、接続コンタクトは、たとえばＬＳＡ技術を使用して、圧着接続、ＩＤＣ接続などを介してケーブル端に接続された圧接コンタクトとして設計される。接続は、たとえば、ケーブル端を当接ブリッジに挿入し、次いで当接ブリッジが絶縁体に対して動かされたとき、端子コンタクトとの電気的接続を形成することによって形成される。
【０００３】
ケーブルコネクタを接続プラグコネクタに恒久的かつ確実に接続するために、特にケーブルが引っ張り応力を受けたときにケーブルコネクタが引き抜かれることを防止するために、ケーブルコネクタは通常、接続コネクタとそれに接続されたケーブルコネクタとの間にロックを確立するロック機構を有する。ロック機構は、絶縁体の一部であるロック／掛止レバーを有することができる。
【０００４】
ロックレバーは、絶縁体と単体として形成（一体形成）することができる。しかし、これにはいくつかの問題がある。第１に、コネクタの寸法が小さいとき、ロックレバーは薄くて柔らかい。その結果、ロックレバーは作動中に背圧をほとんど生じず、したがって作動が実際に実行されたかどうかに関する使用者に対するフィードバックがほとんどない。したがって使用者は、大きすぎる力を加えて、レバーを破損または破壊しがちである。プラグコネクタをケーブルコネクタから除去するときは、フィードバックがないことで、使用者は作動なしでプラグを取り外そうとする可能性があり、その結果、ロックレバーはロックラグ付近で折れる。
【０００５】
さらに、この変形形態では、絶縁体の基体へのロックレバーの接続は、スイベル／ヒンジとして設計され、したがって非常に薄くなるように設計される。これは、特に大きい負荷を受けているとき、またはコネクタが接続コネクタに対して繰返し着脱された場合、レバーがヒンジで切り離されるリスクが高いことを意味する。加えて、ロックレバーと絶縁体の基体との間の接続が薄いとき、ばねの運動距離およびばねの力は小さくなる。
【０００６】
これらの理由のため、ロックレバーおよび絶縁体の基体が２つの部品から設計されるという解決策が開発されてきた。これらの部品は、ロックレバー（ロッカ）の回転運動を可能にする支持部を介して接続される。軸支持部は、損傷から比較的保護されており、強固であるが、全体的な成形プロセスは複雑である。さらに、組立て中に追加のステップが必要とされ、すなわちロックレバーを絶縁体の基体に取り付けて装着する必要がある。
【先行技術文献】
【特許文献】
【０００７】
【特許文献１】独国特許出願公開第１０２００４０５４２０３号明細書
【特許文献２】国際公開第９９／６６５９８号
【特許文献３】米国特許出願公開第２０１０／００４１２６７号明細書
【発明の概要】
【発明が解決しようとする課題】
【０００８】
したがって、本発明の目的は、安定しており容易に製造できるケーブルコネクタを提供することである。
【課題を解決するための手段】
【０００９】
この目的は、請求項１に記載のケーブルコネクタを提供することによって解決される。本発明の好ましい実施形態の特徴は、従属請求項の対象である。
【００１０】
本発明によるケーブルコネクタは、絶縁体および当接ブリッジを備え、絶縁体は、接続コネクタと相互ロックする少なくとも１つのロック要素を有する。当接ブリッジは、絶縁体のロックレバーの支持軸（支持シャフト）を支持するための少なくとも１つの軸受けを有する。
【００１１】
当接ブリッジにおける絶縁体またはロック要素の支持軸の軸受けは、ヒンジの破損またはロックレバーと絶縁体の基体との間の接続の破損の危険を防止する。この設計により、当接ブリッジおよび絶縁体の装着中、絶縁体および当接ブリッジを支持すること、ならびにケーブルとケーブルコネクタのコンタクト端子との間の電気接触を提供することが、１つのステップで実施される。
【００１２】
ケーブルを介してコネクタに引っ張り力が作用する可能性があり、その結果、ケーブルコネクタが接続プラグコネクタから意図せず引き抜かれる可能性があるため、本発明は特にケーブル接続に関連する。この理由で、通常はロック機構の形態である安全デバイスが必要とされる。
【００１３】
ＩＤＣ（圧接コネクタ）プラグは、本発明によるケーブルコネクタの応用例の一例である。この技法では、ケーブル、たとえばリボンケーブルのワイアが、当接ブリッジに設けられたそれぞれの受け入れスロットに挿入され、次いで絶縁体内に位置する圧接コンタクトとともに押圧され、それによってワイアが圧接コネクタと接触する。
【００１４】
特に、絶縁体はハウジングを有し、ハウジングおよび少なくとも１つのロック要素は単体として形成され、たとえば一体形成される。絶縁体の構造は、単体とすることができ、すなわちハウジング（以下、基体とも呼ぶ）およびロック要素は、単体として設計することができる。これは、２つの部分からなる設計と比較すると、追加の構成要素および追加の構成要素を基体に取り付けるときの追加の組立てステップを回避することができることを意味する。
【００１５】
好ましくは、少なくとも１つのロック要素は、少なくとも２つの接続要素を介してハウジングに接続される。ロック要素、特にロック要素のレバーの２重の接続により、単一の部品としての絶縁体は、機械的に安定しており、外部からの影響に対して強固である。ばね要素は、単一の部品である絶縁体に確実に接続される。
【００１６】
好ましくは、ロック要素は、ロッカおよびばね棒を備えるレバーを有する。ばね棒は、上述した接続要素のうちの１つとすることができる。ばね棒は、好ましくは、ロッカの端部区域に位置するロックラグまたは戻り止めフックの区域から絶縁体の基体／ハウジングへ延び、したがって第２の接続を形成する。ハウジングとロッカとの間の強い２重の接続により、この区域内のねじれの危険が低減される。
【００１７】
本発明による設計では、ロックレバーを変形させることができる。しかし、ヒンジ内で変形させる代わりに、ばね棒を有する長いレバーを設けることによって、変形を容易にすることができる。このようにして、より厚いばね棒を実現することができ、そのようなばね棒は、容易に外側に曲がらず、より大きい保持力を提供する。長いばね棒の変形中の材料負荷は小さいため、他の構造にとって好適でないはずでありまたは部分的に相容れない要件のうちのいくつかを満たさないはずである液晶ポリマー（ＬＣＰ）材料などの材料を、絶縁体の作製に使用することができる。
【００１８】
ばね棒は、大きいレバーとして形成することができ、その変形は、構造および材料の選択によって画定される方法で調整することができる。ロックラグの導入面は、多少平坦に形成しまたは面取りすることができ、たとえばより大きい予圧でロックレバーを設計することを可能にする。
【００１９】
特に、当接ブリッジの軸受けは、当接ブリッジの基体の凹部として設計することができ、この凹部は、それぞれロック要素の支持軸および支持シャフトに対して相補形である。凹部は、たとえば半円形に設計することができる。
【００２０】
特に、ロック要素の支持軸は、当接ブリッジに対する絶縁体の第１の位置で、当接ブリッジの軸受け凹部と係合せず、支持軸は、当接ブリッジに対する絶縁体の第２の位置で、当接ブリッジの軸受け凹部に係合する。絶縁体および当接ブリッジがともに第１の相対位置（分離位置）から第２の相対位置（挿入位置）へ動かされたとき、支持軸は当接ブリッジの軸受け凹部に入り、軸受け凹部内で確実に支持される。
【００２１】
ケーブルコネクタは、当接ブリッジが絶縁体から分離されないように、当接ブリッジを第２の状態でロックするロックデバイスを有することができる。ロックデバイスは、たとえば当接ブリッジと絶縁体との間の掛止によって設けることができる。第１の状態でも、当接ブリッジは、ブリッジと絶縁体との間の掛止接続の手段によって、意図せず除去されないように固定することができる。
【００２２】
ロック要素は、たとえば接続プラグコネクタに掛止する掛止要素とすることができ、阻止要素を有することができ、阻止要素は、第１の状態で当接ブリッジの第１の止め具に当接し、第２の状態で絶縁体のアンダ―カットに係合する。第１の状態で、ロッカは、第３の固定点を形成するＴ字溝内にロックされる。
【００２３】
絶縁体は、単体の液晶ポリマー（ＬＣＰ）材料から形成することができる。使用される材料が耐破損性、剛性、弾性などの所望の（場合により相容れない）特性のすべてを満たさない場合でも、本発明によって提案される構造上の方策により、個々の材料特性がないという欠点の低減または解消が実現される。
【００２４】
本発明のさらなる利点、特徴、および可能な応用例は、図面に基づいて、本発明の好ましいが限定的でない例示的な実施形態の以下の説明から得られる。
【図面の簡単な説明】
【００２５】
【図１】いくつかの個々の構成要素が半透明に示されている、本発明によるケーブルコネクタの正面図である。
【図２ａ】図１によるケーブルコネクタの詳細図である。
【図２ｂ】本発明によるケーブルコネクタのさらなる形態の詳細図である。
【図３】プラグコネクタに接続された図１に示すケーブルコネクタの斜視図である。
【発明を実施するための形態】
【００２６】
図１は、本発明によるケーブルコネクタ１、特にＩＤＣ（圧接コネクタ）コネクタを示す。ケーブルコネクタ１は、絶縁体２および当接ブリッジ３を備える。
【００２７】
絶縁体２は、ハウジング２０と、ハウジング２０の両側面にそれぞれ配置されたロック要素２１、この場合は掛止要素２１とを備える。ハウジング２０は、当接ブリッジ３の少なくとも一部分を受け入れるための受け入れ空間２００を有する。加えて、ハウジング２０は、複数のコンタクト４を収容し、複数のコンタクト４は特に、横並びに配置された圧接および／またはクランプコンタクトとして設計される。
【００２８】
図２ａに詳細に示すロック要素２１は、戻り止め要素として設計され、レバー２１０および支持軸２１１を備える。レバー２１０は、ロッカ２１００、ロックラグ２１０１、および当接要素２１０２を有し、ロックラグ２１０１は、ロッカ２１００の第１の端部に配置され、第１の端部は、当接ブリッジ３から離れる方を向いており、当接要素２１０２は、ロッカ２１００の第２の端部に配置され、第２の端部は、当接ブリッジ３の方を向いている。ロッカ２１００は、ロッカ２１００の中心領域から延びる直接接続２１０３によって、支持軸２１１に接続される。支持軸２１１は、湾曲した薄いばね要素の形態の接続２２を介して、ハウジング２０に接続される。加えて、ロッカ２１００は、ロックラグ２１０１から支持軸２１１の方向に延びるウェブまたはばね棒２３を介して、ハウジング２０に接続される。したがって、ハウジング２０に対するロッカ２１００の接続は２重である。絶縁体２が一体形成された場合、たとえば１つのまたは単体の構成要素として形成された場合、２重の接続により、ハウジングに対するロック要素２１の確実で安定した接続が確保され、ロック要素２１がハウジング２０から容易に折れることが防止される。この設計上の方策により、絶縁体２全体を液晶ポリマー（ＬＣＰ）材料から単体で製造することが可能になる。ロック要素２１とハウジング２０とを単体として作製することで、上述した構成要素を接合する組立てステップが省かれる。
【００２９】
図２ｂは、図２ａに示したものに実質上対応するロック要素２１の別の形態を示す。唯一の違いは、当接要素２１０２が異なる設計を有していることである。当接要素２１０２は、自由端の方へ広がり、したがって一種のフックを形成している。
【００３０】
当接ブリッジ３は、基体３０を有する。基体３０内には、受け入れスロット３１が、ケーブル５を収容するためのレセプタクルとして形成される。加えて、基体３０は、接触前（図１参照）の第１の状態で当接要素２１０２に接触する両側の止め具３３と、接触後（図３参照）の第２の状態でロック要素２１の当接要素２１０２それぞれを受け入れるＴ字溝３２とを有する。止め具３３は、損傷が生じないように、図示されている第１の状態におけるレバー２１０の移動を制限する。加えて、基体３０は、その両側に、ロック要素２１の支持軸２１１をそれぞれ収容するための軸受け凹部３４を有する。軸受け凹部３４は、たとえば、円の扇形の内輪郭、たとえば半円形の内輪郭を有することができる。
【００３１】
図１に示す第１の位置で、当接要素２１０２は、当接ブリッジ３のＴ字溝内で絶縁体２と当接ブリッジ３との間に支持され、したがってロック要素２１に対する第３の固定点を形成する。したがって、ロック要素２１は、この第１の位置で曲がったり消耗したりしない。
【００３２】
図１による第１の位置で、ロックまたは戻り止め要素２１の支持軸２１１は、依然として当接ブリッジ３の軸受け凹部３４の外側に置かれている。
【００３３】
いくつかのケーブルまたは多区間ケーブルのワイア５が、当接ブリッジ３の対応するケーブル受け入れスロット３１内に配置された後、当接ブリッジ３を絶縁体２に対して装着方向（＝接触方向）Ｍに動かすことができる。ケーブルコネクタ１は、図３に示す第２の状態（第２の位置）に変化する。図３で、絶縁体２および当接ブリッジ３は、完全に相互に係合する。当接要素２１０２は、止め具３３（突起として形成される。図１参照）の後ろに形成された溝またはアンダーカット３５内に係合する。加えて、支持軸／支持シャフト２１１は、両側でそれぞれの軸受け凹部３４に入り、軸受け凹部３４が支持シャフト２１１に整合するように設計されている（たとえば、支持シャフト２１１は円形の断面を有することができ、凹部３４は半円形の内輪郭を有することができる）ため、それぞれの軸受け凹部３４内で安全に支持される。この第２の位置で接続２２がちぎれた場合でも、ロック要素２１の支持の安定性は保証されるはずである。
【００３４】
第２の位置で、圧接コンタクトによってワイア端５の絶縁物を切断して圧接接続を形成するか、圧着接続を確立するか、それとも類似の方法によるかにかかわらず、当接ブリッジ３のケーブルスロット３１内に位置決めされたワイア５は、圧接および／またはクランプコンタクト４内へ押し込まれて、圧接および／またはクランプコンタクト４との電気的接続を確立する。
【００３５】
図３で、ケーブルコネクタ１は、ケーブルコネクタ１に整合する対応プラグコネクタ６に接続される。接続プラグコネクタ６は特に、ソケット状のプラグコネクタとして、たとえばプリント回路基板ソケットとして設計される。接続コネクタ６は、ケーブルコネクタ１のためのレセプタクルを有するソケット状の絶縁体６０と、ケーブルコネクタ１が接続コネクタ６から緩んだり結合解除されたりしないように、特に接続コネクタ６から引き抜かれないように、ケーブルコネクタ１を固定するためにレバー２１０のロックラグ２１０１が係合するアンダーカット６１とを有する。
【００３６】
接触のための装着方向が、矢印Ｍによって示されている。電気コンタクトの接触および軸受け凹部３４への支持シャフト２１１の装着は、当接ブリッジ３が絶縁体２に対して第１の状態（図１）から第２の状態（図３）へ動かされるという１つのステップで行われる。
【符号の説明】
【００３７】
１  ケーブルコネクタ、  ２  絶縁体、  ２０  ハウジング、  ２００  受け入れ空間、  ２１  ロック要素、  ２１０  レバー、  ２１００  ロッカ、  ２１０１  ロックラグ、  ２１０２  当接要素、  ２１０３  接続、  ２１１  支持軸、  ２２  接続要素：第１の接続、  ２３  接続要素：ばね棒、  ３  当接ブリッジ、  ３０  基体、  ３１  受け入れスロット、  ３２  Ｔ字溝、  ３３  止め具、  ３４  軸受け：凹部、  ３５  アンダーカット、  ４  コンタクト、  ５  ケーブル、  ６  プラグコネクタ、  ６０  プラグコネクタの絶縁体、  ６１  プラグコネクタのアンダーカット。
【図１】
2020202179.tif 000003
【図２ａ】
2020202179.tif 000004
【図２ｂ】
2020202179.tif 000005
【図３】
2020202179.tif 000006